(57)【要約】【課題】  肉厚３乃至５ｍｍの導光板を用いて合計厚さを０．７〜１ｃｍ程度としたＡ１版やＢ１版のように大判薄型とした面照明装置に生じる高輝度ＬＥＤの発熱によって生じる導光板の反りを防止する。【解決手段】  導光板１１を保形芯材とするパネル本体１の左右端部を額縁材２で保持する一方，上下端部に反り防止材３を配置する。反り防止材３は，パネル本体１の上下端部を被嵌する断面コ字状の透明縁材３１と，この透明縁材３１に剛性を付与するように厚肉細幅の長尺プレート材による金属補強材３２とによって形成し，透明縁材３１のパネル本体１と逆側にＣ字断面の受溝を形成して，この受溝に金属補強材３２を透明縁材３１の全長に亘るように挿入配置する。導光板の反りを解消できる。透明縁材３１と正面の透明カバーを取外して照明用のポジフィルムの交換が可能になる。【選択図】  図１
2009123557.tif 000002
【特許請求の範囲】
【請求項１】
薄肉に形成した導光板を保形芯材として，少なくともその背面の更に薄肉の反射面材と，正面の同じく更に薄肉の透明カバーを備えてＪＩＳ規格のＡ１版，Ｂ１版のように矩形大判としたパネル本体とし，上記導光板の入射端面に臨設した高輝度のＬＥＤ光源によって該パネル本体を面照明するように形成した壁掛けディスプレイ用，壁面形成用等大判用途の面照明装置であって，パネル本体における一方の対向端部に該対向端部を被嵌する断面コ字状の額縁材又はその裏面を背面板で連結した背面板付きの額縁材を配置して該パネル本体を一体的に保持する一方，他方の対向端部に上記額縁材とは別体にしてＬＥＤ光源の発熱による上記パネル本体の保形芯材をなす導光板の反りを防止する反り防止材を配置してなることを特徴とする大判薄型面照明装置。
【請求項２】
上記反り防止材の少なくとも一方を，パネル本体から取外し自在として該パネル本体の透明カバーを着脱可能としてなることを特徴とする請求項１に記載の大判薄型面照明装置。
【請求項３】
上記反り防止材を，正面幅を上記額縁材より幅狭の細幅にして上記透明カバーの端部を正面側で覆う透明樹脂製の透明縁材と，その全長に配置して該透明縁材に正背面方向の剛性を付与する金属補強材とによって形成してなることを特徴とする請求項１又は２に記載の大判薄型面照明装置。
【請求項４】
上記透明縁材を，パネル本体被嵌用の断面下向きコ字状の被嵌部を備えた長尺材とするとともにその上記金属補強材を長尺プレート材とし，該長尺プレート材をパネル端面側乃至パネル裏面側で透明縁材の被嵌部に全長重合状に一体的に配置して，該透明縁材の被嵌部にパネル本端端部を受入れ被嵌して上記導光板の反り防止材としてなることを特徴とする請求項３に記載の大判薄型面照明装置。
【請求項５】
上記透明縁材を，パネル本体端部の端部正面及び端面を被覆する断面Ｌ字状の長尺Ｌ字材とするとともに上記金属補強材を同じくパネル本端端部の背面及び端面を被覆する断面Ｌ字状の長尺Ｌ字材とし，該双方の長尺Ｌ字材をパネル本体端部の端面で相互に重合状に一体化してパネル本体の対向端部被嵌用の断面下向きコ字状の被嵌部を形成し，該透明縁材と金属補強材による被嵌部にパネル本端端部を受入れ被嵌して上記導光板の反り防止材としてなることを特徴とする請求項３に記載の大判薄型面照明装置。
【請求項６】
上記反り防止材を，パネル本体の端部背面及び端面を被覆する断面Ｌ字状の長尺Ｌ字材によって形成し，該反り防止材をパネル本体の端面との間に僅少空隙を配置してパネル本体端部背面に固定して該パネル本体端部に正背面方向の剛性を付与するとともに上記額縁材より幅狭の細幅とした正面被覆片とこれに直交する挿入片を有する断面Ｌ字状にして透明樹脂製の透明縁材を用いて，上記パネル本体の端面と反り防止材間の僅少空隙に該透明縁材における挿入片を挿入して該透明縁材の正面被覆片によって上記透明カバー端部正面を着脱自在に被覆してなることを特徴とする請求項１に記載の大判薄型面照明装置。
【請求項７】
上記反り防止材を，パネル本体の端部背面及び端面を被覆する断面Ｌ字状の長尺Ｌ字材によって形成し，該反り防止材をパネル本体端部背面に固定して該パネル本体端部に正背面方向の剛性を付与するとともに上記額縁材より正面を幅狭の細幅とした断面コ字状にして透明樹脂製の透明縁材を用いて，該透明縁材によってパネル本体端部を上記透明カバー端部とともに着脱自在に被嵌してなることを特徴とする請求項１に記載の大判薄型面照明装置。
【請求項８】
上記パネル本体端部に対する一方又は双方の透明縁材に，反り防止材又はパネル本体端部に対する外れ止め措置を施してなることを特徴とする請求項６又は７に記載の大判薄型面照明装置。
【請求項９】
上記パネル本体端部に対する一方の透明縁材に，上記反り防止材又はパネル本体端部に対する外れ止め措置を施し，他方に同じく反り防止材又はパネル本体端部に対する固定措置を施してなることを特徴とする請求項６又は７に記載の大判薄型面照明装置。
【発明の詳細な説明】
【技術分野】
【０００１】
本発明は，例えば壁掛け用とし，建物の内装用とする如くに，壁掛けディスプレイ用，内装用等の適宜用途に用いる大判薄型面照明装置に関する。
【背景技術】
【０００２】
この種背面照明用の面照明装置として，例えば，本発明者らによる最先に導光板を用いて実用化したものが知られており，これによれば，ハウジングに蛍光灯による１次光源を密封空間に収容した光源ユニットと，該光源ユニットの上面に起立配置し，外周に額縁を配して中央を開口した保持ケースと，該保持ケースに配置した透明アクリル樹脂製の積層複数枚の表裏導光板と，該表裏導光板間に配置したシートによる反射面材と，表裏導光板の表裏に配置した透明カバーとを備えて，例えばＡ４版の装飾用乃至宣伝用等の小型のものとされ，このとき導光板は，その背面に形成した導光パタンによって入射光を蛍光灯光源によって可及的均一に導光して，上記表裏の導光板と透明カバー間に挿入した光透過性フィルムを背面から照明するものとされており，該面照明装置は，その後の液晶バックライトや各種ディスプレイ装置の基本構造をなすものとして，一般に多用されるようになっている。
【０００３】
【特許文献１】特許第２６２３０２８号公報
【発明の開示】
【発明が解決しようとする課題】
【０００４】
液晶バックライトはユニット化されて液晶ディスプレイの背面に一体的に配置される一方，各種ディスプレイ装置は，例えば背面板に一体化した額縁内に該額縁によって囲繞するように配置されることによって，一般に面照明装置としての自立性や保形性が問題となることはないが，例えば面照明装置の外観を良好にするために，外観を煩雑化する額縁の使用を制限して，例えば１次光源配置の導光板の一方の対向端部に該額縁を配置するとともに他方の対向端部を額縁レスとするか，額縁レスの外観を呈するものとする一方，その照明面積を，例えばＪＩＳ規格のＡ１版，Ｂ１版或いはそれ以上の矩形大判のものとするとともに，例えば３ｍｍ，５ｍｍといったように薄肉の導光板を単一枚として，これに該導光板より更に薄肉の反射面材と透明カバー，あるいは必要に応じて導光板と透明カバー間の光拡散面材又はこれとプリズム面材のように面照明装置として使用し得る面材を備えることによって，その合計厚さを１ｃｍ以下にして，例えば７，８ｍｍ程度に厚さを可及的に薄肉化したものとするとともに肉厚の増大を回避するように１次光源をＬＥＤユニットの如き高輝度のＬＥＤとすると，高輝度の面照明をなし得るとともに薄肉且つ軽量にしてすっきりした外観の面照明装置とすることが可能となり，例えば室内や店舗の壁掛け用ディスプレイや，壁面の一部乃至全部を形成する内装用等の各種用途に適したものとすることが可能となる。
【０００５】
しかし乍ら，この場合，照明面積を矩形大判とするために矩形大判にして薄肉の導光板を使用すると，該薄肉の導光板が面照明装置の保形芯材となるとともに額縁が対向端面を囲繞したものではないことによって保形性が低くなることを避けられず，特に面照明装置を継続使用すると，例えば導光板が，該導光板に配置した額縁間で湾曲することによって膨出乃至凹陥するといった反り現象を生じる傾向が顕著となるが，この反り現象は，１次光源をなす高輝度のＬＥＤが発熱して，その熱が上記保形性の低い導光板に伝導することに起因するものと認められる。
【０００６】
このような反り現象が生じる可能性がある限り，上記矩形大判にして薄肉の導光板を用いて額縁レス又は額縁レスの外観を呈して外観を良好とした面照明装置を実用化することはできず，上記反り現象を解消する必要がある。
【０００７】
本発明はかかる事情に鑑みてなされたもので，その解決課題とするところは，上記矩形大判にして薄肉の導光板を用いて額縁レスの外観を呈するとともに高輝度ＬＥＤ光源の発熱に起因する導光板の反り現象を解消した大判薄型面照明装置を提供するにある。
【課題を解決するための手段】
【０００８】
上記課題に沿って本発明は，薄肉に形成した導光板を保形芯材として，少なくともその背面の更に薄肉の反射面材と，正面の同じく更に薄肉の透明カバーを備えてＪＩＳ規格のＡ１版，Ｂ１版のように矩形大判としたパネル本体とし，上記導光板の入射端面に臨設した高輝度のＬＥＤ光源によって該パネル本体を面照明するように形成した壁掛けディスプレイ用，壁面形成用等大判用途の面照明装置であって，パネル本体における一方の対向端部に該対向端部を被嵌する断面コ字状の額縁材又はその裏面を背面板で連結した背面板付きの額縁材を配置して該パネル本体を一体的に保持する一方，他方の対向端部に上記額縁材とは別体にしてＬＥＤ光源の発熱による上記パネル本体の保形芯材をなす導光板の反りを防止する反り防止材を配置してなることを特徴とする大判薄型面照明装置としたものである。
【０００９】
請求項２に記載の発明は，上記に加えて，導光板と透明カバー間にポジフィルム等の被照明用フィルムを介設してその照明を行うように用いる場合に，そのフィルム交換を可及的簡易且つ確実になし得るものとするように，これを，上記反り防止材の少なくとも一方を，パネル本体から取外し自在として該パネル本体の透明カバーを着脱可能としてなることを特徴とする請求項１に記載の大判薄型面照明装置としたものである。
【００１０】
請求項３に記載の発明は，同じく上記に加えて，反り防止材を，上記透明カバーの正面を覆う透明縁材とこの透明縁材に上記反り防止機能を付与する金属製の補強材とによって形成し，反り防止材を用い乍ら，額縁レスの外観を呈する面照明装置とするように，これを，上記反り防止材を，正面幅を上記額縁材より幅狭の細幅にして上記透明カバーの端部を正面側で覆う透明樹脂製の透明縁材と，その全長に配置して該透明縁材に正背面方向の剛性を付与する金属補強材とによって形成してなることを特徴とする請求項１又は２に記載の大判薄型面照明装置としたものである。
【００１１】
請求項４及び５に記載の発明は，同じく上記に加えて，上記透明縁材と金属補強材による反り防止材を，パネル本体の端部を被嵌して，その一方又は双方をパネル本体に固定又は着脱自在に配置することによって，簡易且つ確実にパネル端部を保持し得るとともにその反り防止機能を有効且つ確実に発揮し得る，好ましい形態のものとするように，請求項４に記載の発明を，上記透明縁材を，パネル本体被嵌用の断面下向きコ字状の被嵌部を備えた長尺材とするとともにその上記金属補強材を長尺プレート材とし，該長尺プレート材をパネル端面側乃至パネル裏面側で透明縁材の被嵌部に全長重合状に一体的に配置して，該透明縁材の被嵌部にパネル本端端部を受入れ被嵌して上記導光板の反り防止材としてなることを特徴とする請求項３に記載の大判薄型面照明装置とし，請求項５に記載の発明を，上記透明縁材を，パネル本体端部の端部正面及び端面を被覆する断面Ｌ字状の長尺Ｌ字材とするとともに上記金属補強材を同じくパネル本端端部の背面及び端面を被覆する断面Ｌ字状の長尺Ｌ字材とし，該双方の長尺Ｌ字材をパネル本体端部の端面で相互に重合状に一体化してパネル本体の対向端部被嵌用の断面下向きコ字状の被嵌部を形成し，該透明縁材と金属補強材による被嵌部にパネル本端端部を受入れ被嵌して上記導光板の反り防止材としてなることを特徴とする請求項３に記載の大判薄型面照明装置としたものである。
【００１２】
請求項６に記載の発明は，同じく上記に加えて，反り防止材と透明縁材を備えるも，これらを一体化することなく，反り防止材をパネル本体に固定して反り防止機能を確保するとともに該固定に際してパネル本体の端部との間に僅少空隙を形成し，該僅少空隙を用いて上記透明縁材を着脱自在に装着して額縁レスの外観を呈するものとするように，これを，上記反り防止材を，パネル本体の端部背面及び端面を被覆する断面Ｌ字状の長尺Ｌ字材によって形成し，該反り防止材をパネル本体の端面との間に僅少空隙を配置してパネル本体端部背面に固定して該パネル本体端部に正背面方向の剛性を付与するとともに上記額縁材より幅狭の細幅とした正面被覆片とこれに直交する挿入片を有する断面Ｌ字状にして透明樹脂製の透明縁材を用いて，上記パネル本体の端面と反り防止材間の僅少空隙に該透明縁材における挿入片を挿入して該透明縁材の正面被覆片によって上記透明カバー端部正面を着脱自在に被覆してなることを特徴とする請求項１に記載の大判薄型面照明装置としたものである。
【００１３】
請求項７に記載の発明は，同じく上記に加えて，反り防止材と透明縁材を備えることによって反り防止材をパネル本体に固定して反り防止機能を確保するものとするとともに透明縁材によってパネル本体の端部を被嵌して額縁レスの外観を呈するものとするように，これを，上記反り防止材を，パネル本体の端部背面及び端面を被覆する断面Ｌ字状の長尺Ｌ字材によって形成し，該反り防止材をパネル本体端部背面に固定して該パネル本体端部に正背面方向の剛性を付与するとともに上記額縁材より正面を幅狭の細幅とした断面コ字状にして透明樹脂製の透明縁材を用いて，該透明縁材によってパネル本体端部を上記透明カバー端部とともに着脱自在に被嵌してなることを特徴とする請求項１に記載の大判薄型面照明装置としたものである。
【００１４】
請求項８に記載の発明は，同じく上記に加えて，請求項６に記載の発明における上記透明縁材が僅少空隙から外れたり，請求項７に記載の発明における上記透明縁材が振動で揺動したりするのを防止して，安定した透明縁材の保持をなし得るものとするように，これを，上記パネル本体端部に対する一方又は双方の透明縁材に，反り防止材又はパネル本体端部に対する外れ止め措置を施してなることを特徴とする請求項６又は７に記載の大判薄型面照明装置としたものである。
【００１５】
請求項９に記載の発明は，同じく上記に加えて，透明カバーの取外しには，パネル本体端部一方において透明縁材を外れるようにすればよいから，透明縁材とパネル本体の関係を，パネル本体端部一方で外れ止め措置を，他方において固定措置を施すことによって安定した透明縁材の保持と透明カバーの取外しをなし得るものとするように，これを，上記パネル本体端部に対する一方の透明縁材に，上記反り防止材又はパネル本体端部に対する外れ止め措置を施し，他方に同じく反り防止材又はパネル本体端部に対する固定措置を施してなることを特徴とする請求項６又は７に記載の大判薄型面照明装置としたものである。
【００１６】
本発明はこれらをそれぞれ発明の要旨として上記課題解決の手段としたものである。
【発明の効果】
【００１７】
本発明は以上のとおりに構成したから，請求項１に記載の発明は，上記矩形大判にして薄肉の導光板を用いて額縁レスの外観を呈するとともにＬＥＤ光源の発熱に起因する導光板の反り現象を解消して，高輝度の面照明をなし得るとともに薄肉且つ軽量にしてすっきりした外観の大判薄型面照明装置を提供することができる。
【００１８】
請求項２に記載の発明は，上記に加えて，導光板と透明カバー間にポジフィルム等の被照明用フィルムを介設してその照明を行うように用いる場合に，そのフィルム交換を可及的簡易且つ確実になし得るものとすることができる。
【００１９】
請求項３に記載の発明は，同じく上記に加えて，反り防止材を，上記透明カバーの正面を覆う透明縁材とこの透明縁材に上記反り防止機能を付与する金属製の補強材とによって形成し，反り防止材を用い乍ら，額縁レスの外観を呈する面照明装置とすることができる。
【００２０】
請求項４及び５に記載の発明は，同じく上記に加えて，上記透明縁材と金属補強材による反り防止材を，パネル本体の端部を被嵌して，その一方又は双方をパネル本体に固定又は着脱自在に配置することによって，簡易且つ確実にパネル端部を保持し得るとともにその反り防止機能を有効且つ確実に発揮し得る，好ましい形態のものとすることができる。
【００２１】
請求項６に記載の発明は，同じく上記に加えて，反り防止材と透明縁材を備えるも，これらを一体化することなく，反り防止材をパネル本体に固定して反り防止機能を確保するとともに該固定に際してパネル本体の端部との間に僅少空隙を形成し，該僅少空隙を用いて上記透明縁材を着脱自在に装着して額縁レスの外観を呈するものとすることができる。
【００２２】
請求項７に記載の発明は，同じく上記に加えて，反り防止材と透明縁材を備えることによって反り防止材をパネル本体に固定して反り防止機能を確保するものとするとともに透明縁材によってパネル本体の端部を被嵌して額縁レスの外観を呈するものとすることができる。
【００２３】
請求項８に記載の発明は，同じく上記に加えて，請求項６に記載の発明における上記透明縁材が僅少空隙から外れたり，請求項７に記載の発明における上記透明縁材が振動で揺動したりするのを防止して，安定した透明縁材の保持をなし得るものとすることができる。
【００２４】
請求項９に記載の発明は，同じく上記に加えて，透明縁材とパネル本体の関係を，パネル本体端部一方で外れ止め措置を，他方において固定措置を施すことによって安定した透明縁材の保持と透明カバーの取外しをなし得るものとすることができる。
【発明を実施するための最良の形態】
【００２５】
以下図面の例に従って本発明を更に具体的に説明すれば，Ａは大判薄型面照明装置であり，該大判薄型面照明装置Ａは，薄肉に形成した導光板１１を保形芯材として，その背面の更に薄肉の反射面材１２と，正面の同じく更に薄肉の透明カバー１４と，本例にあっては導光板１１表面の更に薄肉の光拡散面材１３を備えてＪＩＳ規格のＡ１版，Ｂ１版のように矩形大判としたパネル本体１とし，上記導光板１１の入射端面に臨設した高輝度のＬＥＤ光源１５によって該パネル本体１を面照明するように形成した壁掛けディスプレイ用，壁面形成用等大判用途のものとしてあり，パネル本体１における一方の対向端部に該対向端部を被嵌する断面コ字状の額縁材２又はその裏面を背面板で連結した背面板付きの額縁材を配置して該パネル本体１を一体的に保持する一方，他方の対向端部に上記額縁材２とは別体にしてＬＥＤ光源１５の発熱による上記パネル本体１の保形芯材をなす導光板１１の反りを防止する反り防止材３を配置したものとしてある。
【００２６】
本例にあって導光板１１は，肉厚を数ｍｍ，例えば３乃至５ｍｍとして，ＪＩＳ規格のＢ１版，即ち１０３０×７２８ｍｍの大きさのアクリル透明樹脂パネルの裏面にドットパタン等の導光パタンを，例えばスクリーン印刷によって形成した，矩形形状にして縦長の大判薄肉のものとしてあり，反射面材１２は，例えば導光板１１に比較して極薄のポリエステル発泡シートを，透明カバー１４は，例えば導光板１１の１／２程度乃至それ以下の肉厚を１乃至２ｍｍ，本例にあっては１．５ｍｍとしたアクリル透明樹脂パネル又はポリカーボネート透明樹脂パネルを，光拡散面材１３は，半透明のポリエステルシートを用いて，それぞれ導光板１１と同一面積の大きさのものとしてあり，導光板１１を保形芯材とするように，反射面材１２をその背面に，光拡散面材１３をその正面にそれぞれ積層して，例えば部分的又は全面的な接着によって導光板１１に固定する一方，透明カバー１４を導光板１１の正面に，本例にあっては光拡散面材１３を介して積層し，全体厚さを０．７乃至１ｃｍとしたパネル本体１を形成したものとしてある。導光板１１は，本例にあって左右の対向端部における端面を入射端面としてあり，該入射端面に臨むようにＬＥＤ光源１５を設置して，該ＬＥＤ光源１５によって導光板１１に入射光を供給して，該入射光を上記導光パタンによって導光して面照明装置Ａとしての照明を行うものとしてあり，本例のＬＥＤ光源１５は，例えばチップ基板に高輝度ＬＥＤチップを直列配置した高輝度のＬＥＤユニットを用いたものとしてある。
【００２７】
このときパネル本体１は，本例にあってその左右の対向端部に額縁材２を配置して，上記導光板１１を保形芯材としたパネル本体１を一体化してあり，本例の額縁材２は，例えば合成樹脂製，アルミ或いは鋼板等の金属製，好ましくは放熱効果を有する金属製の断面コ字状にしてその正面側，即ち透明カバー１４に重合する側の幅を２〜３ｃｍとしたものとしてあり，該額縁材２はその溝内にパネル本体１の端部を嵌合状に挿入し，例えばパネル本体１の裏面において該額縁材２と，上記透明カバー１４を除くパネル本体１，特に導光板１１とのネジ止め，接着等の図示省略の固定手段を施してその上記一体化を行ってある。
【００２８】
一方パネル本体１の，本例にあってその上下の対向端部には，反り防止材３を配置し，該反り防止材３によって該パネル本体１の保形芯材をなす導光板１１が，上記高輝度のＬＥＤユニットを用いたことにより該ＬＥＤ光源１５のチップに生じる発熱に起因して，例えば左右中間位置が湾曲したり，凹陥したりする如くに生じる反りを防止するようにしてある。
【００２９】
図１乃至図３の例にあって，上記反り防止材３は，これを，正面幅を上記額縁材２より幅狭の細幅にして上記透明カバー１４の端部を正面側で覆う透明樹脂製の透明縁材３１と，その全長に配置して該透明縁材３１に正背面方向の剛性を付与する金属補強材３２とによって形成してあり，このとき本例の上記透明縁材３１は，これを，パネル本体１被嵌用の断面下向きコ字状の被嵌部３１４を備えた長尺材とするとともにその上記金属補強材３２を長尺プレート材とし，該長尺プレート材をパネル本体１端面側乃至パネル本体１裏面側で透明縁材３１の被嵌部３１４に全長重合状に一体的に配置して，該透明縁材３１の被嵌部３１４にパネル本端１端部を受入れ被嵌して上記導光板１１の反り防止材３としたものとしてあり，またこのとき上記反り防止材３の配置は，これを，パネル本体１の対向端部を被嵌して行うとともに，少なくともその一方の反り防止材３をパネル本体１端部から取外し自在に配置して該パネル本体１の透明カバー１４を着脱可能としたものとしてある。
【００３０】
即ち，本例の上記透明縁材３１は，上記透明カバー１４と同様に，例えば肉厚を１乃至２ｍｍ，本例にあっては１．５ｍｍとしたアクリル，ポリカーボネート等の透明樹脂を押出成型して，０．５〜１ｃｍの高さとして，上記２〜３ｃｍの額縁材の幅より幅狭の細幅とした正面被覆片３１１と，これより長い１．５〜２ｃｍの高さとした背面片３１２を連結壁３１３で連結して上記パネル本体１の全体厚さに応じて該パネル本体１端部を被嵌するコ字状溝の被嵌部３１４を形成する一方，該被嵌部３１４の底壁をなす連結壁３１３の逆側に被嵌部３１４と背合せ状に配置した金属補強材３２を受入れる中空ロ字状乃至Ｃ字状の補強材受溝を一体に形成することによって，例えば断面Ｈ字状乃至その類似形状の成形材によるものとしてある。
【００３１】
このとき本例にあって該透明縁材３１は，基本形状を共通とする２種類の断面形状のものを用いてあり，即ちその一方を，例えばパネル本体の上方端部用，他方を下方端部用とするとともに上方端部用の透明縁材３１において，その正面被覆片３１１を，連結壁側から開口側，即ち内側のパネル本体１側に向けて傾斜して，垂直配置の下方端部用の透明縁材３１とその断面形状を変えたものとしてある。これにより上方端部用の透明縁材３１を，該傾斜した正面被覆片３１１でパネル本体１端部，特に透明カバー１４の端部に線接触状として，そのパネル本体１端部からの上記取外しをなし得るように該上方端部を被嵌して嵌合配置する一方，下方端部用の透明縁材３１を，パネル本体１の下方端部を被嵌し，例えば背面片３１２をパネル本体１端部の裏面に接着，ネジ止め等の固定手段によって固定して嵌合固定の配置を行うようにしてあり，これにより該下方端部用の透明縁材３１を用いた反り防止材３が透明カバー１４をパネル本体１と一体的に支持するとともに，上記上方端部用の透明縁材３１を用いた反り防止材３を取外すことによって該透明カバー１４の脱着とこれによる，例えばポジフィルム等の被照明用フィルムの交換をなし得るようにしてある。
【００３２】
該透明縁材３１は，いずれも上記透明樹脂を押出成形した成形部材としたことによって，その正面被覆片３１１がパネル本体１の，本例にあって上下対向端部に存在するも，その幅が上記幅狭のものにして且つ透明であることによって，その目立ちが少なく，特にＬＥＤユニットによる照明時には，正面被覆片３１１部分にも照明光が通過することによって更に目立ちを押えることができ，従って面照明装置Ａは，これを額縁レスの外観を呈するものとなる。
【００３３】
本例の金属補強材３２は，透明縁材３１の補強材受溝に，例えばその長手方向端部からスライド挿入して該補強材受溝内に設置して，該透明縁材３１に上記剛性を付与してパネル本体１の反り防止機能を確保し，該透明縁材３１とともにパネル本体１対向端部において導光板１１の反り防止材３を形成するものとしてあり，本例にあって該金属補強材３２は，例えば厚さを１〜２ｃｍ，奥行幅を，パネル本体１の全体厚さと同等程度の０．５乃至１ｃｍとした，鋼，アルミ等の金属製にして厚肉細幅にして，長さを，透明縁材３１の長さ，即ち導光板１１の横幅からその両側の額縁幅，例えば片側２〜３ｃｍの合計４〜６ｃｍ幅を除いた長さのものとしてある。該金属補強板３２の透明縁材３１における補強材受溝内への設置は，該金属補強材３２が補強材受溝内で，特にパネル本体１端部の厚さ方向，即ち奥行方向に揺動することなく，可及的に密に嵌合するように配置することが望ましい。
【００３４】
本例の面照明装置Ａは，反り防止材３が反り防止機能を確実に発揮することによって，ＬＥＤ光源１５の発熱に起因する導光板１１の反り現象を解消して高輝度の面照明をなし得るとともに該反り防止材３が導光板１１をその対向端部で補強することにより，大判薄型であることによって生じることあるパネル本体１の捩れも解消して，軽量にして使い勝手がよく，すっきりした額縁レスの外観のものとすることができる。
【００３５】
図４は，上記反り防止材３の他の例を示すもので，その透明縁材３１を，正面被覆片３１１，背面片３２２を連結壁３１３で連結した断面コ字状の形状として，その底壁をなす連結壁３１３に金属補強材３２を固定手段，例えば接着によって固定することによって，上記図１乃至図３より簡易な構造とした例である。その余は上記と変らないので，同一符号を付して重複する説明を省略する。
【００３６】
図５乃至図７は，同じく反り防止材３の他の例を示すもので，本例にあって上記反り防止材３は，これを，パネル本体１の端部背面及び端面を被覆する断面Ｌ字状の長尺Ｌ字材によって形成し，該反り防止材３をパネル本体１の端面との間に僅少空隙を配置してパネル本体１端部背面に設置して該パネル本体端部に正背面方向の剛性を付与するとともに上記額縁材より幅狭の細幅とした正面被覆片３１６とこれに直交する挿入片３１７を有する断面Ｌ字状にして透明樹脂製の透明縁材３１を用いて，上記パネル本体１の端面と反り防止材３間の僅少空隙に該透明縁材３１における挿入片３１７を挿入して該透明縁材３１の正面被覆片３１６によって上記透明カバー１４端部正面を着脱自在に被覆したものとしてあり，このとき上記パネル本体１端部に対する一方又は双方の透明縁材３１に，反り防止材３又はパネル本体１端部に対する外れ止め措置を施したものとし，特に，上記パネル本体１端部に対する一方の透明縁材３１に，上記反り防止材３又はパネル本体１端部に対する外れ止め措置を施し，他方に同じく反り防止材３又はパネル本体１端部に対する固定措置を施したものとしてある。
【００３７】
即ち本例の反り防止材３は，背面片３２１と空隙形成片３２２とによって断面Ｌ字状をなすように，同じく鋼，アルミ等の金属製のものとし，その垂直の背面片３２１をパネル本体１端部，例えば導光板１１に接着した上記反射面材１２に対して又は該反射面材１２を部分的に除去して導光板１１に，反射面材を兼ねるように，例えば接着によって面接するように設置して，該背面片３２１によってパネル本体１端部に剛性を付与することにより，これを導光板１１の単独の反り防止材として，パネル本体１端部の反り防止措置とするようにしてある。このとき本例にあって反り防止材３は，対向端部一方の額縁材２を含めてパネル本体１の全幅を覆うように該パネル本体１端部に設置したものとしてあり，このためその設置は，該額縁材２の肉厚と同一厚の帯状スペーサー３２３を同じく接着によってパネル本体１端部と背面片３２１間に介設し，該帯状スペーサー３２３を介して行ったものとしてある。帯状スペーサー３２３は硬質樹脂乃至金属の剛性を有する長尺プレートとして，断面Ｌ字状とすることによって剛性を確保した反り防止材３の背面板３２１によって導光板１１に剛性を付与するものとしてある。本例の反り防止材３は，その厚さを，例えば同様に１〜２ｍｍ，本例にあっては１．５ｍｍとし，背面板３２１の高さを１．５〜３ｃｍ，本例にあっては２ｃｍ，空隙形成片３２２の幅，即ち奥行幅を０．５〜１ｃｍ程度としたものとしたものとしてあり，該反り防止材３は，例えばアルミを押出成型した押出成形材によってこれを形成してある。
【００３８】
一方透明縁材３１は，正面被覆片３１６と挿入片３１７とによって同じく断面Ｌ字状をなすように，上記透明縁材と同様にアクリル，ポリカーボネート等の透明樹脂を押出成形した成形材によるものとしてあり，本例にあって該透明縁材３１は，同じくその肉厚を１．５ｍｍ，正面被覆片３１６の高さを０．５〜１ｃｍ，挿入片３１７の幅を１ｃｍ程度としたものとしてある。
【００３９】
上記反り防止材３は，その背面板３２１の設置を，上記透明縁材３１の肉厚に幾分のクリアランスを加えることによって空隙形成片３２２をパネル本体１の端面から浮かせるように行ってあり，これによってパネル本体１の端面と該空隙形成片３２２間に僅少空隙を形成するものとしてあり，該僅少空隙に透明縁材３１の挿入片を挿入することによって，透明縁材３１を着脱自在としてあり，従って該透明縁材３１を引き抜くように外して，透明カバー１４の取外しを可能として，同様に被照明フィルムの交換を可能としてある。
【００４０】
またこのとき透明カバー１４の取外しは，面照明装置Ａの上方端部において透明縁材３１を外すことによって可能となるので，パネル本体１の対向端部一方，例えば下方端部において透明縁材３１を接着等によって反り防止材３の正面被覆片３１６に固定する一方，対向端部の他方，即ち上端部において透明縁材３１の位置ずれを防止するとともにその安定した透明カバー１４の保持のために一方の該上方端部の透明縁材３１を，例えばネジ，粘着テープ等の図示省略の仮止め手段によって反り防止材３の空隙形成片３２２に対して仮止め固定するようにしてある。その余は上記と変らないので，同じく同一符号を付して重複する説明を省略する。
【００４１】
この場合も上記例と同様に，反り防止材３が反り防止機能を確実に発揮することによって，ＬＥＤ光源１５の発熱に起因する導光板１１の反り現象を解消して高輝度の面照明をなし得るとともに該反り防止材３が導光板１１をその対向端部で補強することにより，大判薄型であることによって生じることあるパネル本体１の捩れも解消して，軽量にして使い勝手がよく，すっきりした額縁レスの外観のものとすることができる。
【００４２】
図８乃至図１０は，更に他の例を示したもので，本例にあって上記反り防止材３は，これを，パネル本体１の端部背面及び端面を被覆する断面Ｌ字状の長尺Ｌ字材によって形成し，該反り防止材３をパネル本体１端部背面に固定して該パネル本体１端部に正背面方向の剛性を付与するとともに上記額縁材２より正面を幅狭の細幅とした断面コ字状にして透明樹脂製の透明縁材４を用いて，該透明縁材４によってパネル本体１端部を上記透明カバー１４端部とともに着脱自在に被嵌したものとしてあり，このとき本例にあっては，同様に，上記パネル本体１端部に対する一方又は双方の透明縁材４に，反り防止材３又はパネル本体１端部に対する外れ止め措置を施したものとし，特に，上記パネル本体１端部に対する一方の透明縁材４に，上記反り防止材３又はパネル本体１端部に対する外れ止め措置を施し，他方に同じく反り防止材３又はパネル本体１端部に対する固定措置を施したものとしてある。
【００４３】
即ち本例にあっては，上記図５乃至図７の例と同様に，反り防止材３をパネル本体１の端部背面及び端面を被覆する断面Ｌ字状の長尺Ｌ字材によって形成する一方，該反り防止材３をパネル本体１の端面に接触するように，パネル本体１端部背面に設置して該パネル本体端部に正背面方向の剛性を付与するとともに上記額縁材より幅狭の細幅とした正面壁４１，背面壁４２を連結壁４３で連結した断面コ字状の形状とし，同様にアクリル，ポリカーボネート等の透明樹脂を押出成形した成形材による断面コ字状の透明縁材４を用いて，これによってパネル本体１を被嵌するようにしてある。このとき一方，本例にあっては上方の透明縁材４を着脱自在とするとともに外れ止め措置を施し，他方の，本例にあっては下方の透明縁材４を反り防止材３に固定手段，例えば接着，ネジ止め等によって固定したものとしてある。
【００４４】
本例の上記着脱自在とした透明縁材４は，例えば，その上記連結壁４３の内面長手方向所定箇所に複数のマグネット４４乃至長手方向所定範囲に帯状のマグネットを固着する一方，反り防止材３の対向面に磁性材４５を固着して，該マグネット４４を磁性材４５に吸着させることによって，その外れ止め措置としてある。従ってこの磁性を用いた外れ止め措置を施すことによって，該透明縁材４を安定且つ確実に保持するとともに必要に応じてその取り外しを行って透明カバー１４の取外しを可能としてある。その余は上記と変らないので，同一符号を付して重複する説明を省略する。
【００４５】
本例にあっても，反り防止材３が反り防止機能を確実に発揮することによって，ＬＥＤ光源１５の発熱に起因する導光板１１の反り現象を解消して高輝度の面照明をなし得るとともに該反り防止材３が導光板１１をその対向端部で補強することにより，大判薄型であることによって生じることあるパネル本体１の捩れも解消して，軽量にして使い勝手がよく，すっきりした額縁レスの外観のものとすることができる。
【００４６】
図示した例は以上のとおりとしたが，額縁材を，裏面を背面板で連結した背面板付きの額縁材とすること，反り防止材を長尺プレート材として，該長尺プレート材をパネル本体の対向端部裏面に接着固定して，その設置を行うこと，上記パネル本体における一方の対向端部に該対向端部を被嵌する額縁材を断面コ字状とするとともに反射面材を金属製パネルとして該反射面材の端部を折曲して反り防止材とするように，該反射面材付きの反り防止材を用いること，透明縁材を，上記例と同様に正面片，背面片，底壁をなす連結壁を備えて被嵌溝を形成した成形材とし，該成形材の上記連結壁の内側及び／又は外側に，上記と同様に長尺プレート材とした金属補強材を重合して，接着剤によって固定する如くに一体化して反り防止材とすること，上記透明縁材を，パネル本体端部の端部正面及び端面を被覆する断面Ｌ字状の長尺Ｌ字材とするとともに上記金属補強材を同じくパネル本端端部の背面及び端面を被覆する断面Ｌ字状の長尺Ｌ字材とし，該双方の長尺Ｌ字材をパネル本体端部の端面で相互に重合状に，例えば接着，ネジ等によって一体化してパネル本体の対向端部被嵌用の断面下向きコ字状の被嵌部を形成し，該透明縁材と金属補強材による被嵌部にパネル本端端部を受入れ被嵌して上記導光板の反り防止材とすること，この場合も，該反り防止材の配置を，パネル本体の対向端部を被嵌して行うとともに，少なくともその一方の反り防止材をパネル本体端部から取外し自在に配置して該パネル本体の透明カバーを着脱可能とすること，等を含めて，本発明の実施に当って，面照明装置，パネル本体，導光板，反射面材，透明カバー，ＬＥＤ光源，額縁材，反り防止材，必要に応じて用いる透明縁材，金属補強材等の各具体的形状，構造，材質，これらの関係，これらに対する付加等は，上記発明の要旨に反しない限り様々な形態のものとすることができる。
【図面の簡単な説明】
【００４７】
【図１】大判薄型面照明装置の一部切欠き斜視図である。
【図２】大判薄型面照明装置の縦断面図である。
【図３】大判薄型面照明装置の平面図である。
【図４】他の例に係る大判薄型面照明装置の縦断面図である。
【図５】他の例に係る大判薄型面照明装置の一部切欠き斜視図である。
【図６】図５の大判薄型面照明装置の縦断面図である。
【図７】図５の大判薄型面照明装置の一部切欠き平面図である。
【図８】更に他の例に係る大判薄型面照明装置の一部切欠き斜視図である。
【図９】図８の大判薄型面照明装置の縦断面図である。
【図１０】図８の大判薄型面照明装置の一部切欠き平面図である。
【符号の説明】
【００４８】
Ａ  大判薄型面照明装置
１  パネル本体
１１  導光板
１２  反射面材
１３  光拡散面材
１４  透明カバー
１５  ＬＥＤ光源
２  額縁材
３  反り防止材
３１  透明縁材
３１１  正面被覆片
３１２  背面片
３１３  連結壁
３１４  被嵌部
３１５  補強材受溝
３１６  正面被覆片
３１７  挿入片
３２  金属補強材
３２１  背面片
３２２  空隙形成片
３２３  帯状スペーサー
４  透明縁材
４１  正面壁
４２  背面壁
４３  連結壁
４４  マグネット
４５  磁性材
【図１】
2009123557.tif 000003
【図２】
2009123557.tif 000004
【図３】
2009123557.tif 000005
【図４】
2009123557.tif 000006
【図５】
2009123557.tif 000007
【図６】
2009123557.tif 000008
【図７】
2009123557.tif 000009
【図８】
2009123557.tif 000010
【図９】
2009123557.tif 000011
【図１０】
2009123557.tif 000012